(57)【特許請求の範囲】
【請求項１】
軒樋の外面に沿う底面部と両側面部を有して軒樋の外面に着脱自在に被嵌される外面被嵌部材と、軒樋の内面に沿う底面部と両側面部を有して軒樋の内面に着脱自在に嵌め込まれる内面嵌込部材と、脚部材を備え、外面被嵌部材の一方の側面部の先端部に内面嵌込部材の一方の側面部の先端部を回動自在に連結すると共に該外面被嵌部材の一方の側面部の先端部を脚部材に回動自在に連結し、外面被嵌部材の他方の側面部の先端部に軒樋の対応する側壁部の先端部に係止されて当該側壁部の先端部を支持する支持片部を設けると共に、内面嵌込部材の他方の側面部の先端部に軒樋の対応する側壁部の先端部に係止される係止部を設け、外面被嵌部材に鋸刃の移動をガイドするためのガイド部を内面嵌込部材と重複しない位置に設け、脚部材に前記支持片部が着脱自在に係止される被係止部を形成して成ることを特徴とする軒樋切断補助具。
【請求項２】
上記外面被嵌部材の両側面部の先端部の夫々に軒樋の各側壁部の先端部を支持する支持片部を形成し、外面被嵌部材の内面嵌込部材と重複しない位置に外面被嵌部材の周方向に伸びるスリット部を形成すると共に、該スリット部を外面被嵌部材の底面部から両側面部を介して両支持片部を越える位置まで形成し、該スリット部を上記ガイド部としたことを特徴とする請求項１に記載の軒樋切断補助具。
【発明の詳細な説明】
【技術分野】
【０００１】
本発明は軒樋の長手方向の一部に取付けられて軒樋の鋸刃による切断を補助する軒樋切断補助具に関する。
【背景技術】
【０００２】
従来の軒樋切断補助具は例えば図４に示すように軒樋２の外面に沿う形状となった内面を有し、幅方向の両端にはガイド部として軒樋２の長手方向に直交する鍔状部４１を設けている。この軒樋切断補助具４０を用いて軒樋２を切断する場合は、図４に示すように下向き開口状態の軒樋２の外面に軒樋切断補助具４０を被嵌し、該軒樋切断補助具４０の周方向の両端を床等に載置し、動鋸等の鋸刃を軒樋切断補助具４０の鍔状部４１をガイドとして移動し、これにより軒樋２を底壁部２ｂ側から切断して所定の寸法とする。
【０００３】
しかし図４に示す軒樋切断補助具４０は軒樋２の外面側のみを押さえて外面側からのみ軒樋２の形状を保っているため、軒樋２を底壁部側から切断する時に軒樋２が鋸刃によって内方に押されて撓みやすく、軒樋２を鍔状部４１に沿って正確に切断することが難しかった。また鋸刃を軒樋切断補助具４０の幅方向の両端に設けた鍔状部４１に沿って移動する際に、軒樋２の鋸刃の片側のみが軒樋切断補助具４０によって保持されているので、軒樋切断補助具４０によって保持されていない鋸刃を挟んだ他側が自重で下がってしまい、この点も軒樋２の切断を難しくする要因となっている。
【０００４】
また例えば特許文献１に開示される軒樋切断補助具は、軒樋の外面に沿う内面を有して軒樋の外面に着脱自在に被嵌される外面被嵌部材を備え、該外面被嵌部材に鋸刃のガイドとなるスリット部を周方向に設けてあり、このものは外面被嵌部材により軒樋における鋸刃の両側を保持しながら、スリット部に鋸刃を通過させて軒樋を切断できるようになっている。しかしこの特許文献１の軒樋切断補助具も外面被嵌部材で外面側からのみ軒樋の形状を保っているので、切断時に軒樋が鋸刃によって内方に押されて変形しやすく、軒樋を正確且つ容易に切断できなかった。
【特許文献１】特開２００３−１１０９２号公報
【発明の開示】
【発明が解決しようとする課題】
【０００５】
本発明は上記従来の問題点に鑑みて発明したものであって、軒樋の切断時に鋸刃で軒樋が内方に押されて撓むことを防止できて、軒樋を正確且つ容易に切断できる軒樋切断補助具を提供することを課題とするものである。
【課題を解決するための手段】
【０００６】
上記課題を解決するために本発明に係る軒樋切断補助具１は、軒樋２の外面に沿う底面部１３ｂと両側面部１３ａ、１３ｃを有して軒樋２の外面に着脱自在に被嵌される外面被嵌部材１３と、軒樋２の内面に沿う底面部１４ｂと両側面部１４ａ、１４ｃを有して軒樋２の内面に着脱自在に嵌め込まれる内面嵌込部材１４と、脚部材１２を備え、外面被嵌部材１３の一方の側面部１３ｃの先端部に内面嵌込部材１４の一方の側面部１４ｃの先端部を回動自在に連結すると共に該外面被嵌部材１３の一方の側面部１４ｃの先端部を脚部材１２に回動自在に連結し、外面被嵌部材１３の他方の側面部１４ａの先端部に軒樋２の対応する側壁部２ａの先端部に係止されて当該側壁部２ａの先端部を支持する支持片部１６を設けると共に、内面嵌込部材１４の他方の側面部１４ａの先端部に軒樋２の対応する側壁部２ａの先端部に係止される係止部２４を設け、外面被嵌部材１３に鋸刃の移動をガイドするためのガイド部２２を内面嵌込部材１４と重複しない位置に設け、脚部材１２に前記支持片部１６が着脱自在に係止される被係止部３７を形成して成ることを特徴とするものである。この構成により、外面被嵌部材１３を軒樋２の外面に被嵌すると共に内面嵌込部材１４を軒樋２の内面に嵌め込み、軒樋２を外面被嵌部材１３と内面嵌込部材１４で内外から挟持することができ、これにより外面被嵌部材１３で軒樋２を外面側から押さえて保形できるのは勿論、加えて内面嵌込部材１４で軒樋２を内面側から押さえて保形でき、これにより鋸刃によって軒樋２が内方に押されて撓むことを防止できて、鋸刃により軒樋２を正確且つ容易に切断できる。
【０００７】
また上記外面被嵌部材１３の両側面部１３ａ、１３ｃの先端部の夫々に軒樋２の各側壁部２ａ、２ｃの先端部を支持する支持片部１６、１７を形成し、外面被嵌部材１３の内面嵌込部材１４と重複しない位置に外面被嵌部材１３の周方向に伸びるスリット部２０を形成すると共に、該スリット部２０を外面被嵌部材１３の底面部１３ｂから両側面部１３ａ、１３ｃを介して両支持片部１６、１７を越える位置まで形成し、該スリット部２０を上記ガイド部２２とすることも好ましい。この場合、外面被嵌部材１３の幅方向の中央部に設けたスリット部２０をガイド部２２として鋸刃の移動をガイドできるので、外面被嵌部材１３で軒樋２における鋸刃の両側の部位を保持して軒樋２を切断でき、切断時における軒樋２の形状をより一層保つことができる。またこのスリット部２０は外面被嵌部材１３の底面部１３ｂから両側面部１３ａ、１３ｃを介して両支持片部１６、１７を越える位置まで形成しているので、軒樋２を一度の切断作業で完全に切断できる。
【発明の効果】
【０００８】
本発明では、軒樋の切断時において鋸刃によって軒樋が内方に押されて撓むことを防止できて、鋸刃により軒樋を正確且つ容易に切断できる。
【発明を実施するための最良の形態】
【０００９】
以下、本発明を添付図面に示す実施形態に基いて説明する。
【００１０】
本例の軒樋切断補助具１（以下補助具１という）によって切断される軒樋２は図１及び図２に示すように長手方向の全長に亘って断面形状が同じである合成樹脂成形品等からなり、図２のように底壁部２ｂの両側端に側壁部２ａ、２ｃを立設している。側壁部２ａは軒樋２の施工時に建物とは反対側に位置し、先端側程外側に位置するように傾斜している。また側壁部２ｃは軒樋２の施工時に建物側に位置するもので、底壁部２ｂから垂直に立設していて、側壁部２ａよりも背が低くなっている。底壁部２ｂと側壁部２ａとのコーナー部分は内方に向けて突曲してあり、これにより突端部を角状に形成した突曲部３を形成している。
【００１１】
軒樋２の周方向の両端部、即ち側壁部２ａ、２ｃの各先端部には耳部４、５を設けている。側壁部２ａに設けた耳部４は、側壁部２ａの先端部から内方に向けて突片部６を突設すると共に該突片部６の先部の内面側に中空の耳部本体７を設けて形成してあり、耳部本体７と側壁部２ａの間には底壁部２ｂ側に向けて開口する溝からなる被嵌込部８を形成している。また突片部６の基端部には耳部４とは反対側の外側に突出する屋外側被支持部１０を形成している。一方、側壁部２ｃに設けた耳部５は中空で側壁部２ｃの先端部の内面側に設けてあり、耳部５の底壁部２ｂとは反対側の面部を建物側被支持部１１としている。
【００１２】
次に上記軒樋２を切断する補助具１について説明する。
【００１３】
補助具１は合成樹脂等で成形され、軒樋２の外面に着脱自在に被嵌される外面被嵌部材１３と、軒樋２の内面に着脱自在に嵌め込まれる内面嵌込部材１４と、補助具１全体としての脚となる脚部材１２とを備えており、これら外面被嵌部材１３、内面嵌込部材１４、脚部材１２の幅方向（軒樋２に補助具１を取付けた際の軒樋２の長手方向と平行な方向）の寸法の全ては略同じである。
【００１４】
外面被嵌部材１３は、軒樋２の側壁部２ａ、底壁部２ｂ、側壁部２ｃの夫々に対応する側面部１３ａ、底面部１３ｂ、側面部１３ｃを備え、内面が軒樋２の外面に沿う形状に形成されている。側面部１３ａは先端側程外側に位置するように傾斜しており、側面部１３ｃは底面部１３ｂに対して垂直となっている。底面部１３ｂと側面部１３ａとのコーナー部分には突端部を角状に形成した突出部１５を内方に向けて突設している。外面被嵌部材１３の周方向の両端、即ち側面部１３ａ、１３ｃの各先端部には内方に向けて屋外側支持片部１６及び建物側支持片部１７を突出してあり、屋外側支持片部１６の内面を屋外側支持部４２とし、建物側支持片部１７の内面を建物側支持部４３としている。屋外側支持片部１６の先端部には内方に向けて突部３８を突出している。また屋外側支持片部１６の外面部は側面視で底面部１３ｂとは反対側に凸となる三角形状に形成され、該屋外側支持片部１６の外面部を係止部１８としている。
【００１５】
図１に示すように外面被嵌部材１３の幅方向の両端の夫々には周方向の全長に亘って外方に向けて突出する鍔状部１９を設けている。また外面被嵌部材１３の幅方向の中央には外面被嵌部材１３の周方向に伸びる外側スリット部２０を形成している。各鍔状部１９、１９の幅方向外側の面及び外側スリット部２０の幅方向両内側面は外面被嵌部材１３の幅方向に直交するもので、本例ではこの各鍔状部１９及び外側スリット部２０を軒樋２を切断する時の鋸刃（図示せず）の移動をガイドするガイド部２２としている。ここで外側スリット部２０は外面被嵌部材１３の底面部１３ｂから両側面部１３ａ、１３ｃを介して両支持部４２、４３を越える位置まで形成している。特に本例の外側スリット部２０は外面被嵌部材１３の周方向の全長に亘って形成してあり、即ち図の外面被嵌部材１３は外側スリット部２０を介して分割された２つの独立した外側分割体２１、２１からなる。
【００１６】
図２のように内面嵌込部材１４は周方向における一端部（即ち後述の側面部１４ｃの先端部）を外面被嵌部材１３の建物側支持片部１７の先端部に矢印イに示す方向に回動自在に連結している。この内面嵌込部材１４は、軒樋２の側壁部２ａ、底壁部２ｂ、側壁部２ｃの夫々に対応する側面部１４ａ、底面部１４ｂ、側面部１４ｃを備え、その外面が軒樋２の内面に沿う形状に形成されている。側面部１４ａは先端側程外側に位置するように傾斜しており、側面部１４ｃは底面部１４ｂに対して垂直となっている。また側面部１４ａ、側面部１４ｃの基先方向における中間部同士は連結片部１４ｄで連結してあって補強されている。
【００１７】
底面部１４ｂと側面部１４ａとのコーナー部分は内方に向けて突曲してあり、これにより突端部を角状に形成した突曲片部２３を形成している。側面部１４ａの先端には内方に向けて片状の屋外側係止部２４を突設してあり、屋外側係止部２４の基端部には底面部１４ｂとは反対側に向けて屋外側嵌込部２５を突出している。また側面部１４ｃの先端よりも控えた位置では、これよりも先端側に位置する部位がこれよりも基部側の部位よりも内方に位置するように折曲している。
【００１８】
内面嵌込部材１４の外側スリット部２０に対応する部位である幅方向の中央には周方向の全長に亘って内側スリット部２６を形成してあり、即ち本例の内面嵌込部材１４は内側スリット部２６を介して分割した２つの独立した内側分割体２７、２７からなる。内側スリット部２６は外面被嵌部材１３を軒樋２の外面に被嵌すると共に内面嵌込部材１４を軒樋２の内面に嵌め込んだ状態で外側から見て外側スリット部２０と重複する部位に設けてあり、つまり外面被嵌部材１３の外側スリット部２０は内面嵌込部材１４と重複しない部位に設けられている。ここで内面嵌込部材１４を構成する各内側分割体２７、２７は外面被嵌部材１３を構成する各外側分割体２１、２１に異なる枢軸部２８を介して回動自在に連結されるもので、これにより内面嵌込部材１４は外面被嵌部材１３に対して回動自在となっている。なお内側分割体２７と外側分割体２１を連結する各枢軸部２８は内側スリット部２６に対応する部位には存在せず、これにより軒樋２の切断時において内面嵌込部材１４の内側スリット部２６を通過した鋸刃が各枢軸部２８に当たらないようにしている。
【００１９】
上記外面被嵌部材１３における周方向の一端に位置する側面部１３ｃの先端部は脚部材１２の一端部に矢印ロに示す方向に回動自在に連結している。脚部材１２の幅方向の両端の夫々には立片部２９、２９を立設している。各立片部２９、２９の幅方向の外側の面は外面被嵌部材１３の鍔状部１９、１９の幅方向の外側の面と面一となっており、各立片部２９、２９も鋸刃の移動をガイドする部材として利用される。
【００２０】
各立片部２９、２９の両側端部同士は連結片部３０、３１で連結されている。各立片部２９、２９の両側端部は中間部よりも外面被嵌部材１３側に突出してあり、これにより脚部材１２の両側端部の幅方向の両端に連出部３２、３３を形成している。脚部材１２の一方の側端部に設けた連出部３２、３２間及び他方の側端部に設けた連出部３３、３３間の夫々に形成された空所３４、３５は脚部材１２の幅方向において外側スリット部２０及び内側スリット部２６と重複する位置に設けている。これら空所３４、３５は鋸刃逃がし用の空所となるもので、これら空所により軒樋２の切断時において外側スリット部２０及び内側スリット部２６に通過した鋸刃が脚部材１２に当たらないようにしている。
【００２１】
連出部３３、３３の先端部には回動軸部３６を介して上記各外側分割体２１、２１を回動自在に連結してあり、これにより外面被嵌部材１３は脚部材１２に対して回動自在となっている。各回動軸部３６、３６は連出部３３、３３の先端部間に位置し、この位置で各外側分割体２１、２１に連結しているが、各回動軸部３６は補助具１の幅方向において外側スリット部２０及び内側スリット部２６に重複する位置には存在せず、これにより軒樋２の切断時において外側スリット部２０を通過した鋸刃が各回動軸部３６に当たらないようにしている。また連出部３２、３２の先端面は基部側に向けて凸となる三角形状に切り欠いて被係止部３７を形成している。
【００２２】
上記補助具１を用いて軒樋２を切断する場合は、まず軒樋２の長手方向の一部に補助具１を取付ける。補助具１の取付けは、外面被嵌部材１３に対して脚部材１２及び内面嵌込部材１４を開いた状態とし、この外面被嵌部材１３を耳部４、５を含む軒樋２の外面に外側から被嵌する。外面被嵌部材１３を軒樋２に被嵌した状態にあっては、底面部１３ｂ、側面部１３ａ、側面部１３ｃの内面が軒樋２の底壁部２ｂ、側壁部２ａ、側壁部２ｃの外面に夫々沿い、突出部１５が軒樋２の突曲部３の外面に嵌め込まれる。また屋外側支持片部１６は軒樋２の耳部４の屋外側被支持部１０に係止され、この状態で屋外側支持部４２は屋外側被支持部１０に当たって軒樋２の側壁部２ａの先端部を支持してあり、また建物側支持部４３は建物側被支持部１１に当たって軒樋２の側壁部２ｃの先端部を支持している。
【００２３】
次に外面被嵌部材１３に対して開いた状態にある内面嵌込部材１４を外面被嵌部材１３の内面に近づける方向に回動して閉じ、これにより内面嵌込部材１４を外面被嵌部材１３が被嵌された軒樋２の内面に内側から嵌め込む。内面嵌込部材１４を軒樋２に嵌め込んだ状態にあっては、底面部１４ｂ、側面部１４ａ、側面部１４ｃの外面が軒樋２の底壁部２ｂ、側壁部２ａ、側壁部２ｃに夫々沿い、突曲片部２３が軒樋２の突曲部３の内面に嵌め込まれる。また屋外側嵌込部２５を被嵌込部８に嵌め込むと共に屋外側係止部２４の外面を耳部４に当てることで屋外側係止部２４が耳部４に係止され、且つ側面部１４ｃの基部よりも内方に位置する先端部と同部に対向する外面被嵌部材１３の側面部１３ｃの先端部とで耳部５が挟持される。
【００２４】
次に上記外面被嵌部材１３に対して開いた状態にある脚部材１２を被係止部３７側の先端が外面被嵌部材１３の側面部１３ａの先端に近づく方向に回動して閉じ、これにより外面被嵌部材１３の係止部１８を脚部材１２の先端に設けた各被係止部３７、３７に嵌め込み係止し、しかして補助具１の軒樋２への取付けが完了する。
【００２５】
そしてこのように補助具１を取付けた軒樋２を施工時とは上下逆にした下向き開口状態とすると共に、該補助具１の脚部材１２を下にして該脚部材１２の下面を床面等に載置し、この補助具１によって保持された下向き開口状態にある軒樋２を底壁部２ｂ側（上側）から鋸刃で切断する。
【００２６】
軒樋２を鋸刃で切断する場合、補助具１の軒樋２の長手方向に対して直交する方向に伸びる外側スリット部２０や各鍔状部１９に沿って鋸刃を移動でき、これにより軒樋２を該軒樋２の長手方向と直交する方向に切断できる。
【００２７】
本例の補助具１にあっては、軒樋２の外面に外面被嵌部材１３を被嵌すると共に軒樋２の内面に内面嵌込部材１４を嵌め込むことで、軒樋２を外面被嵌部材１３と内面嵌込部材１４で内外から挟持できるため、外面被嵌部材１３で軒樋２を外面側から保形すると共に内面嵌込部材１４で軒樋２を内面側から保形できる。従って上記のように軒樋２を底壁部２ｂから鋸刃で切断する際には鋸刃によって軒樋２が内方に押されて撓むことを防止でき、これにより軒樋２を鋸刃で正確且つ容易に切断できる。
【００２８】
またこの場合、外側スリット部２０又は鍔状部１９のうちいずれかを選択して鋸刃のガイドとできるので、鍔状部１９をガイドとする場合には、軒樋２の長手方向の最端部を容易に切断でき、また外側スリット部２０をガイドとする場合には、外面被嵌部材１３の両外側分割体２１及び内面嵌込部材１４の両内側分割体２７で軒樋２における鋸刃の両側を保持しながら切断できる。また外側スリット部２０は外面被嵌部材１３の底面部１３ｂから両側面部１３ａ、１３ｃを介して両支持部４２、４３を越える位置まで形成してあるので、外側スリット部２０を鋸刃のガイドとする場合は、軒樋２から補助具１を取り外すことなく一度の切断作業で完全に切断できる。更にこの軒樋２の切断時には、外面被嵌部材１３の前端に形成した係止部１８を脚部材１２の前端に設けた各被係止部３７に係止できるので、外面被嵌部材１３の互いに離れる方向に移動しやすくなった周方向の両端を脚部材１２で保持でき、外面被嵌部材１３によって軒樋２を一層保形できる。
【００２９】
なお本例では外側スリット部２０を外面被嵌部材１３の周方向の全長に亘って設けたが、例えば図３に示すように外側スリット部２０を外面被嵌部材１３の周方向における両端部を残した範囲ａに形成する等、周方向における一部にのみ設けても良い。
【図面の簡単な説明】
【００３０】
【図１】本発明の実施の形態の一例を示し、図は軒樋の切断時において軒樋に軒樋切断補助具を取付けた状態を示す斜視図である。
【図２】同上の側面図である。
【図３】他例の軒樋切断補助具を軒樋に取付けた状態を示す側面図である。
【図４】従来の軒樋切断補助具を軒樋に取付けた状態を示す斜視図である。
【符号の説明】
【００３１】
１  軒樋切断補助具
２  軒樋
１６  屋外側支持片部
１７  建物側支持片部
１３  外面被嵌部材
１４  内面嵌込部材
２０  外側スリット部
２２  ガイド部
【図１】
0004497036.tif 000002
【図２】
0004497036.tif 000003
【図３】
0004497036.tif 000004
【図４】
0004497036.tif 000005